(57)【要約】【課題】簡便且つ安価な構成でありながら、商品の差別化を図ることによって、その商品価値を大幅に向上させることを可能とした泡吐出用アダプタ及び泡吐出装置を提供する。【解決手段】ノズル１０４ｂが設けられたノズルヘッド１０４を押圧操作することによって容器本体１０１に収容された内容液をノズル１０４ｂから泡状に吐出させる泡吐出装置１００のノズルヘッド１０４に装着される泡吐出用アダプタ１であって、ノズル１０４ｂに接続されて、泡状の内容液を吐出させる複数の吐出口２を有し、且つ、ノズルヘッド１０４の１回の押圧操作で、ある形態を模した泡の造形物を形成するように、各吐出口２の位置及び径が設定されている。【選択図】図１
2010149060.tif 000002
【特許請求の範囲】
【請求項１】
ノズルが設けられたノズルヘッドを押圧操作することによって容器本体に収容された内容液を前記ノズルから泡状に吐出させる泡吐出装置の前記ノズルヘッドに装着される泡吐出用アダプタであって、
前記ノズルに接続されて、前記泡状の内容液を吐出させる複数の吐出口を有し、且つ、前記ノズルヘッドの１回の押圧操作で、ある形態を模した泡の造形物を形成するように、各吐出口の位置及び径が設定されていることを特徴とする泡吐出用アダプタ。
【請求項２】
前記複数の吐出口は、それぞれ先端が下向きに突出されたノズル形状を有することを特徴とする請求項１に記載の泡吐出用アダプタ。
【請求項３】
前記ノズルヘッドに対して着脱自在とされていることを特徴とする請求項１又は２に記載の泡吐出用アダプタ。
【請求項４】
ノズルが設けられたノズルヘッドを押圧操作することによって容器本体に収容された内容液を前記ノズルから泡状に吐出させる泡吐出装置であって、
請求項１〜３の何れか一項に記載の泡吐出用アダプタを備えることを特徴とする泡吐出装置。
【請求項５】
複数のノズルが設けられたノズルヘッドを押圧操作することによって容器本体に収容された内容液を前記各ノズルから泡状に吐出させる泡吐出装置であって、
前記ノズルヘッドの１回の押圧操作で、ある形態を模した泡の造形物を形成するように、前記各ノズルの位置及び径が設定されていることを特徴とする泡吐出装置。
【請求項６】
前記複数のノズルは、それぞれ先端が下向きに突出された形状を有することを特徴とする請求項５に記載の泡吐出装置。
【発明の詳細な説明】
【技術分野】
【０００１】
本発明は、ノズルヘッドを押圧操作することによって容器本体に収容された内容液を泡状に吐出させる泡吐出装置に装着可能な泡吐出用アダプタ、並びに泡吐出装置に関する。
【背景技術】
【０００２】
例えば、ポディソープや、ハンドソープ、洗顔料、シャンプー、整髪剤などを内容液として容器本体に収容し、この容器本体に装着された泡ポンプディスペンサーのノズルヘッドを押圧出操作することによって、内容液を泡状にして吐出させる泡吐出容器がある（例えば、特許文献１〜６を参照。）。
【特許文献１】特開２００５−１８７４１１号公報
【特許文献２】特開２００５−１５４６５１号公報
【特許文献３】特開２００３−２０６４９９号公報
【特許文献４】特開２００２−４７１７２号公報
【特許文献５】特開２００５−２３２８２号公報
【特許文献６】特開２００５−１６２６６６号公報
【発明の開示】
【発明が解決しようとする課題】
【０００３】
ところで、例えばハンドソープを内容液として収容した泡吐出容器は、吐出されたハンドソープを使用者が泡立てる必要がないため、特に泡立てが上手にできない小さな子供にとって使い易い商品として人気を集めている。
【０００４】
しかしながら、このような従来の泡吐出容器は、泡立てる手間を省き、小さな子供でも簡単に使用できる一方、他社との商品の差別化が難しく、商品の差別化による市場シェアの拡大を図るために、更なる工夫が求められている。
【０００５】
本発明は、このような従来の事情に鑑みて提案されたものであり、簡便且つ安価な構成でありながら、商品の差別化を図ることによって、その商品価値を大幅に向上させることを可能とした泡吐出用アダプタ及び泡吐出装置を提供することを目的とする。
【課題を解決するための手段】
【０００６】
本発明者らは、上記目的を達成するために鋭意検討を行った結果、泡の見た目の楽しさを向上させることで、商品の差別化を図りつつ、その商品価値を大幅に向上できることを見出し、本発明を完成するに至った。
【０００７】
すなわち、本願の請求項１に係る発明は、ノズルが設けられたノズルヘッドを押圧操作することによって容器本体に収容された内容液をノズルから泡状に吐出させる泡吐出装置のノズルヘッドに装着される泡吐出用アダプタであって、ノズルに接続されて、泡状の内容液を吐出させる複数の吐出口を有し、且つ、ノズルヘッドの１回の押圧操作で、ある形態を模した泡の造形物を形成するように、各吐出口の位置及び径が設定されていることを特徴とする泡吐出用アダプタである。
【０００８】
また、本願の請求項２に係る発明は、複数の吐出口の、それぞれ先端が下向きに突出されたノズル形状を有することを特徴とする請求項１に記載の泡吐出用アダプタである。
【０００９】
また、本願の請求項３に係る発明は、ノズルヘッドに対して着脱自在とされていることを特徴とする請求項１又は２に記載の泡吐出用アダプタである。
【００１０】
また、本願の請求項４に係る発明は、ノズルが設けられたノズルヘッドを押圧操作することによって容器本体に収容された内容液をノズルから泡状に吐出させる泡吐出装置であって、請求項１〜３の何れか一項に記載の泡吐出用アダプタを備えることを特徴とする泡吐出装置である。
【００１１】
また、本願の請求項５に係る発明は、複数のノズルが設けられたノズルヘッドを押圧操作することによって容器本体に収容された内容液を各ノズルから泡状に吐出させる泡吐出装置であって、ノズルヘッドの１回の押圧操作で、ある形態を模した泡の造形物を形成するように、各ノズルの位置及び径が設定されていることを特徴とする泡吐出装置である。
【００１２】
また、本願の請求項６に係る発明は、複数のノズルの、それぞれ先端が下向きに突出された形状を有することを特徴とする請求項５に記載の泡吐出装置である。
【発明の効果】
【００１３】
以上のように、本発明によれば、簡便且つ安価な構成でありながら、泡の見た目の楽しさを向上させることによって、商品の差別化を図りつつ、その商品価値を大幅に向上させることが可能である。
【発明を実施するための最良の形態】
【００１４】
以下、本発明の実施の形態について、図面を参照して詳細に説明する。
（第１の実施形態）
先ず、本発明の第１の実施形態として、例えば図１及び図２に示す本発明を適用した泡吐出用アダプタ１を備える泡吐出容器１００について説明する。
【００１５】
泡吐出容器１００は、図１及び図２に示すように、例えば内容液としてハンドソープが収容された容器本体１０１と、この容器本体１０１に収容されたハンドソープを泡状に吐出させる泡ポンプディスペンサー（泡吐出機構）１０２とを備えている。また、この泡ポンプディスペンサー１０２は、例えば容器本体２の口頸部に螺合により装着された装着キャップ１０３を介して容器本体２に取り付けられている。本発明を適用した泡吐出装置は、このような泡ポンプディスペンサー１０２が装着された容器本体１０１によって、いわゆる縦型手動式の泡ポンプ付き容器（泡吐出容器）を構成している。
【００１６】
具体的に、容器本体１０１は、例えばポリエチレン樹脂やポリプロピレン樹脂、ポリエステル樹脂などの合成樹脂材料をブロー成形によりボトル状に成形したものからなる。容器本体２の形状については、特に限定されないものの、この容器本体１０１の上端部には、略円筒状に縮径された口頸部が設けられ、この口頸部の外周面に装着キャップ１０３を螺合により装着するためのネジ部が形成されている。
【００１７】
泡ポンプディスペンサー１０２は、装着キャップ１０３の中央に設けられた筒状部１０３ａから上方に向かって突出されると共に、上方に付勢された状態で上下方向に移動可能に支持されたステム（図示せず。）の上端部に取り付けられたノズルヘッド１０４を備えている。
【００１８】
ノズルヘッド１０４は、ステムの上端部に位置するヘッド部１０４ａと、このヘッド部１０４ａの側面から延長されたノズル部１０４ｂとを有している。このうち、ヘッド部１０４ａは、使用者に押圧操作される部分であり、その内側には、後述する泡ポンプ機構により圧送されたハンドソープをステムからノズル部１０４ｂへと導く流路（図示せず。）が設けられている。一方、ノズル部１０４ｂは、先端から泡状のハンドソープを吐出させる部分であり、ヘッド部１０４の流路と連通されると共に、ヘッド部１０４ａの側方からほぼ水平方向に突出された先細形状を有している。
【００１９】
また、泡ポンプディスペンサー１０２は、このノズルヘッド１０４を押圧操作してステムを付勢力に抗して押し下げることにより、容器本体１０１に収容されたハンドソープを空気と混合して泡状としながら、ステムを通じてノズルヘッド１０４側へと圧送する泡ポンプ機構を備えている。
【００２０】
この泡ポンプ機構には、従来公知の泡ポンプ機構を用いることができ、例えば、泡ポンプディスペンサー１０２が備える泡ポンプ機構は、図示を省略するものの、内部を液用ピストンが摺動する液用シリンダと、内部を空気用ピストンが摺動する空気用シリンダと、ステムの下端部に接続されて、このステムと共にコイルスプリング（付勢手段）により上方に付勢された状態の液用ピストン及び空気用ピストンを一体的に押し下げる筒状のピストンガイドと、液用シリンダから供給されるハンドソープ（内容液）と空気用シリンダから供給される空気とが混合される混合室と、ステムと混合室との間の流路に配置されたメッシュリング（発泡用部材）とを概略備えている。
【００２１】
そして、この泡吐出容器１００は、ノズルヘッド１０４を押圧操作して、ステム及びピストンガイドと共に、液用ピストン及び空気用ピストンをコイルスプリングの付勢力に抗して押し下げることにより、混合室内で空気と混合されたハンドソープをメッシュリングにより発泡させながら、この泡状のハンドソープをピストンガイド及びステムを通してノズルヘッド１０４側へと圧送し、ノズルヘッド１０４のノズル部１０４ｂから泡状のハンドソープ（以下、単に泡という。）を吐出させる構造となっている。
【００２２】
本発明を適用した泡吐出用アダプタ１は、上記泡吐出容器１００のノズルヘッド１０４に取り付けて使用されるものであり、この泡吐出用アダプタ１が取り付けられた泡吐出容器１００では、上述したノズルヘッド１０４の１回の押圧操作で定量吐出される泡から、ある形態を模した泡の造形物（第１の実施形態では、子熊のキャラクタを模した泡の造形物。）を形成することが可能となっている。
【００２３】
具体的に、この泡吐出用アダプタ１は、図３（ａ）〜（ｃ）に示すように、複数の吐出口２ａ〜２ｃ（図１及び図２においては吐出口２で示す。）が設けられた泡造形部３と、上記ノズルヘッド１０４に装着される装着部４とを備えている。
【００２４】
泡造形部３は、子熊の顔を象った泡の造形物を形成するように、その位置及び径が設定された３つの吐出口２ａ〜２ｃを有している。すなわち、これら３つの吐出口２ａ〜２ｃは、泡造形部３の下面３ａにおいて三角形の各頂点に位置するように配置され、そのうち１つの吐出口２ａが残りの２つの吐出口２ｂ，２ｃよりも大きい径を有している。なお、泡造形部３は、吐出される泡の形状が子熊のキャラクタを模したことを使用者に認識し易くするために、子熊の顔を象った外観形状を有している。
【００２５】
また、これら３つの吐出口２ａ〜２ｃは、それぞれ先端が泡造形部３の下面３ａから鉛直下向きに円筒状に突出されたノズル形状を有している。各吐出口２ａ〜２ｃは、このようなノズル形状を有することで、各吐出口２ａ〜２ｃから吐出された泡が泡造形部３の下面３ａで一塊の泡となることを防止している。すなわち、本発明を適用した泡吐出用アダプタ１では、各吐出口２ａ〜２ｃから吐出された泡が泡造形部３の下面３ａで一塊とならないように、各吐出口２ａ〜２ｃを下向きに突出されたノズル形状とすることが好ましい。
【００２６】
また、泡造形部３は、上記ノズルヘッド１０４のノズル部１０４ｂと接続される接続部５と、この接続部５に接続されたノズル部１０４ｂから吐出された泡を各吐出口２ａ〜２ｃへと導く流路６とを有している。
【００２７】
接続部５は、ノズル部１０４ｂの先端が嵌合される部分であり、泡造形部３の装着部４側の側面に位置して設けられている。また、接続部５には、ノズル部１０４ｂの先端に臨む導入口５ａが設けられ、この導入口５ａの周囲には、ノズル部１０４ｂとの間から泡が漏れ出さないようにリング状のパッキン７が配置されている。流路６は、泡造形部３内で分岐しながら、導入口５ａと各各吐出口２ａ〜２ｃとの間を連結している。
【００２８】
装着部４は、上記ノズルヘッド１０４のヘッド部１０４ａの側面を覆う側壁部８と、ヘッド部１０４ａの上面を覆う上壁部９とを有し、ノズル部１０４ｂの先端を接続部５の内側に嵌合させた状態で、ヘッド部１０４ａに被せることが可能となっている。
【００２９】
なお、この泡吐出用アダプタ１は、２ピース構造を有しており、泡造形部３の本体部分と装着部４とが一体に成形されたプラスチック製のアダプタ本体１Ａに、泡造形部３の下面３ａ側を構成するプラスチック製のパーツ１Ｂを嵌め込むことによって形成されている。
【００３０】
また、このような泡吐出用アダプタ１に使用されるプラスチック材料としては、例えば、ポリプロピレン、ポリエチレン、ポリエチレンテレフタレート、ポリシクロヘキシレンジメチレンテレフタレート、飽和ポリエステル樹脂、ポリメタクリル酸メチル、プロピオン酸セルロース、ポリウレタン、ポリアミド、ＡＢＳ（アクロル二トリル・ブタジエン・スチレン）などの熱可塑性樹脂材料を挙げることができ、その中でもポリプロピレンやポリエチレンを好適に用いることができるが、これらのプラスチック材料に必ずしも限定されるものではない。
【００３１】
以上のような構造を有する泡吐出用アダプタ１は、図１及び図２に示すように、ノズルヘッド１０４に対して着脱自在に装着することが可能である。そして、この泡吐出用アダプタ１が装着された泡吐出容器１００を使用する場合には、図４に示すように、泡吐出用アダプタ１の泡造形部３の下方に使用者の片方の手を配置した状態から、図５に示すように、もう片方の手でノズルヘッド１０４を押圧操作する。
【００３２】
これにより、泡造形部３の３つの吐出口２ａ〜２ｃから鉛直下向きに泡が吐出される。このとき、各吐出口２ａ〜２ｃから吐出された泡は、使用者の手の上で膨出しながら互いに結合して１つの泡の塊を形成する。
【００３３】
そして、図６に示すように、各吐出口２ａ〜２ｃから泡が定量吐出された後に、押し下げられたノズルヘッド１０４に対する押圧を解除する。このとき、使用者の手の上の泡は、各吐出口２ａ〜２ｃに対応した位置にて隆起した状態となる。これにより、使用者の手の上には、子熊のキャラクタを模した泡の造形物Ｂが形成される。
【００３４】
以上のように、本発明を適用した泡吐出用アダプタ１が装着された泡吐出容器１００では、子熊のキャラクタを模した泡の造形物Ｂを形成することができるため、泡の見た目の形状を楽しむことができる。特に、この泡吐出用アダプタ１が装着された泡吐出容器１００を使用することで、小さな子供に手洗いを楽しんでもらうことができる。
【００３５】
一方、このような泡吐出用アダプタ１を装着する前の泡吐出容器１００では、通常は使用者の手の上で丸い一塊の泡が形成されるだけである。本発明では、このような泡吐出用アダプタ１を泡吐出容器１００のノズルヘッド１０４に装着するだけで、泡の見た目の楽しさを向上させることが可能である。
【００３６】
したがって、この泡吐出用アダプタ１が装着された泡吐出容器１００では、簡便且つ安価な構成でありながら、泡の見た目の楽しさを向上させることによって、商品の差別化を図りつつ、その商品価値を大幅に向上させることが可能である。
【００３７】
（第２の実施形態）
次に、本発明の第２の実施形態として、例えば図７及び図８に示す本発明を適用した泡吐出用アダプタ５１を備える泡吐出容器１００について説明する。なお、以下の説明では、上記泡吐出容器１００については、説明を省略すると共に、図面において同じ符号を付すものとする。
【００３８】
本発明を適用した泡吐出用アダプタ５１は、上記泡吐出容器１００のノズルヘッド１０４に取り付けて使用されるものであり、この泡吐出用アダプタ５１が取り付けられた泡吐出容器１００では、上述したノズルヘッド１０４の１回の押圧操作で定量吐出される泡から、ある形態を模した泡の造形物（第２の実施形態では、花びらのキャラクタを模した泡の造形物。）を形成することが可能となっている。
【００３９】
具体的に、この泡吐出用アダプタ５１は、図９（ａ）〜（ｃ）に示すように、複数の吐出口５２ａ〜５２ｆ（図７及び図８においては吐出口５２で示す。）が設けられた泡造形部５３と、上記ノズルヘッド１０４に装着される装着部５４とを備えている。
【００４０】
泡造形部５３は、花びらの形状を象った泡の造形物を形成するように、その位置及び径が設定された６つの吐出口５２ａ〜５２ｆを有している。すなわち、これら６つの吐出口２ａ〜２ｃは、泡造形部５３の下面５３ａにおいて五角形の中心及び各頂点に位置するように配置され、各吐出口５２ａ〜５２ｆは何れも同一径を有している。なお、泡造形部５３は、吐出される泡の形状が花びらのキャラクタを模したことを使用者に認識し易くするために、花びらの形状を象った外観形状を有している。
【００４１】
また、これら６つの吐出口５２ａ〜５２ｆは、それぞれ先端が泡造形部５３の下面５３ａから鉛直下向きに円筒状に突出されたノズル形状を有している。各吐出口５２ａ〜５２ｆは、このようなノズル形状を有することで、各吐出口５２ａ〜５２ｆから吐出された泡が泡造形部５３の下面５３ａで一塊の泡となることを防止している。すなわち、本発明を適用した泡吐出用アダプタ５１では、各吐出口５２ａ〜５２ｆから吐出された泡が泡造形部５３の下面５３ａで一塊とならないように、各吐出口５２ａ〜５２ｆを下向きに突出されたノズル形状とすることが好ましい。
【００４２】
また、泡造形部５３は、上記ノズルヘッド１０４のノズル部１０４ｂと接続される接続部５５と、この接続部５５に接続されたノズル部１０４ｂから吐出された泡を各吐出口２ａ〜２ｃへと導く流路５６とを有している。
【００４３】
接続部５５は、ノズル部１０４ｂの先端が嵌合される部分であり、泡造形部５３の装着部５４側の側面に位置して設けられている。また、接続部５５には、ノズル部１０４ｂの先端に臨む導入口５５ａが設けられ、この導入口５５ａの周囲には、ノズル部１０４ｂとの間から泡が漏れ出さないようにリング状のパッキン５７が配置されている。流路５６は、泡造形部５３内で分岐しながら、導入口５５ａと各各吐出口５２ａ〜５２ｆとの間を連結している。
【００４４】
装着部５４は、上記ノズルヘッド１０４のヘッド部１０４ａの側面を覆う側壁部５８と、ヘッド部１０４ａの上面を覆う上壁部５９とを有し、ノズル部１０４ｂの先端を接続部５５の内側に嵌合させた状態で、ヘッド部１０４ａに被せることが可能となっている。
【００４５】
なお、この泡吐出用アダプタ５１は、２ピース構造を有しており、泡造形部５３の本体部分と装着部５４とが一体に成形されたプラスチック製のアダプタ本体５１Ａに、泡造形部５３の下面５３ａ側を構成するプラスチック製のパーツ５１Ｂを嵌め込むことによって形成されている。また、このような泡吐出用アダプタ５１に使用されるプラスチック材料については、上記泡吐出用アダプタ１と同様である。
【００４６】
以上のような構造を有する泡吐出用アダプタ５１は、図７及び図８に示すように、ノズルヘッド１０４に対して着脱自在に装着することが可能である。そして、この泡吐出用アダプタ５１が装着された泡吐出容器１００を使用する場合には、図１０に示すように、泡吐出用アダプタ５１の泡造形部５３の下方に使用者の片方の手を配置した状態から、図１１に示すように、もう片方の手でノズルヘッド１０４を押圧操作する。
【００４７】
これにより、泡造形部５３の３つの吐出口５２ａ〜５２ｆから鉛直下向きに泡が吐出される。このとき、各吐出口５２ａ〜５２ｆから吐出された泡は、使用者の手の上で膨出しながら互いに結合して１つの泡の塊を形成する。
【００４８】
そして、図１２に示すように、各吐出口５２ａ〜５２ｆから泡が定量吐出された後に、押し下げられたノズルヘッド１０４に対する押圧を解除する。このとき、使用者の手の上の泡は、各吐出口５２ａ〜５２ｆに対応した位置にて隆起した状態となる。これにより、使用者の手の上には、花びらのキャラクタを模した泡の造形物Ｂが形成される。
【００４９】
以上のように、本発明を適用した泡吐出用アダプタ５１が装着された泡吐出容器１００では、花びらのキャラクタを模した泡の造形物Ｂを形成することができるため、泡の見た目の形状を楽しむことができる。特に、この泡吐出用アダプタ５１が装着された泡吐出容器１００を使用することで、小さな子供に手洗いを楽しんでもらうことができる。
【００５０】
一方、このような泡吐出用アダプタ５１を装着する前の泡吐出容器１００では、通常は使用者の手の上で丸い一塊の泡が形成されるだけである。本発明では、このような泡吐出用アダプタ５１を泡吐出容器１００のノズルヘッド１０４に装着するだけで、泡の見た目の楽しさを向上させることが可能である。
【００５１】
したがって、この泡吐出用アダプタ５１が装着された泡吐出容器１００では、簡便且つ安価な構成でありながら、泡の見た目の楽しさを向上させることによって、商品の差別化を図りつつ、その商品価値を大幅に向上させることが可能である。
【００５２】
なお、上記本発明を適用した泡吐出用アダプタ１，５１が装着された泡吐出容器１００では、上記ノズルヘッド１０４の１回の押圧操作で泡造形部３，５３の各吐出口２ａ〜２ｃ，５２ａ〜５２ｆから定量吐出された泡から、使用者の手の上に泡の造形物Ｂを形成するためには、泡造形部３，５３の下方に位置する使用者の手の高さも考慮する必要があるが、本発明では、通常使用される使用者の手の高さ位置（装着キャップ１０３付近）において泡の造形物Ｂが形成されるように、上記各吐出口２ａ〜２ｃ，５２ａ〜５２ｆの位置及び径が設定されている。
【００５３】
なお、本発明は、上記第１及び第２の実施形態のものに必ずしも限定されるものではなく、本発明の趣旨を逸脱しない範囲において種々の変更を加えることが可能である。
例えば、図１３に示すような泡吐出用アダプタ７０を上記泡吐出容器１００のノズルヘッド１０４に装着することも可能である。
【００５４】
具体的に、この泡吐出用アダプタ７０は、ノズルヘッド１０４のノズル部１０４と接続される接続部７１と、この接続部７１から延長された複数のノズル７２ａ〜７２ｃとを有している。また、複数のノズル７２ａ〜７２ｃは、ノズルヘッド７の側面部からほぼ水平方向に延長され、その先端部が下方に向かって屈曲した細長形状を有している。
【００５５】
ここで、泡吐出用アダプタ７０は、例えば子熊の顔を象った泡の造形物を形成するように、その位置及び径が設定された３つのノズル７２ａ〜７２ｃを有している。すなわち、これら３つのノズル７２ａ〜７２ｃは、それぞれの先端が三角形の各頂点に位置するように下向きに突出して配置され、そのうち１つのノズル７２ａが残りの２つの吐出口７２ｂ，７２ｃよりも大きい径を有している。
【００５６】
以上のような泡吐出用アダプタ７０が装着された泡吐出容器１００では、上記泡吐出用アダプタ１と同様に、子熊のキャラクタを模した泡の造形物を形成することができ、泡の見た目の形状を楽しむことができる。
【００５７】
また、上記本発明を適用した泡吐出用アダプタ１，５１を上記泡吐出容器１００のノズルヘッド１０４に取り付けるための構造については、上述した装着部４，５４のような構成に必ずしも限定されるものではない。例えば、上記ノズルヘッド１０４のノズル部１０４ｂに嵌合や螺合等により取り付けるタイプや、上下や左右に分割されたパーツを組み合わせて上記ノズルヘッド１０４に取り付けるタイプ、ストッパーなどの締結手段を用いて上記ノズルヘッド１０４に取り付けるタイプなど様々な取付方法を用いることができる。
【００５８】
また、本発明を適用した泡吐出装置は、上記泡吐出容器１００のノズルヘッド１０４に上記泡吐出用アダプタ１，５１，７１を取り付ける構成に限らず、上記泡吐出用アダプタ１，５１と上記ノズルヘッド１０４が一体化されたものであってもよい。
【００５９】
すなわち、本発明は、上記泡吐出容器１００のノズルヘッド１０４において、上記ノズル部１０４ｂを上記泡造形部３，５３と同じ構成としたり、上記ヘッド部１０４ａから上記複数のノズル７２ａ〜７２ｂが延長して設けられた構成としたりすることが可能である。
【００６０】
なお、本発明では、ある形態を模した泡の造形物として、子熊の顔や花びらを模した泡の造形物（立体的形状）を例示したが、それらに限定されるものではなく、例えばネズミや雪ダルマなど造形される泡のキャラクタやデザイン等については適宜変更して実施することができる。
【００６１】
また、上記泡吐出容器１００に収容される内容液については、特に限定されるものではなく、上述したハンドソープ以外にも、泡の見た目の形状を楽しむことができるものとして、例えば、ポディソープや、洗顔料、シャンプー、整髪剤、台所洗剤などを挙げることができる。
【００６２】
また、本発明は、泡の見た目の楽しさを向上させる以外にも、例えば泡が塗布される対象物に合わせて最適な形状の泡の造形物を形成する場合にも適用可能である。
【実施例】
【００６３】
以下、実施例により本発明の効果をより明らかなものとする。なお、本発明は、以下の実施例に限定されるものではなく、その要旨を変更しない範囲で適宜変更して実施することができる。
【００６４】
（実施例１）
実施例１では、上記第１の実施形態で示した泡吐出用アダプタ１と同様の構成を有する泡吐出用アダプタ実際に作製した。具体的には、ポリプロポレン製であり、子熊の顔のキャラクタを模した泡の造形物を形成するため、泡造形部の下面には、底辺１８ｍｍとし、その他の辺を１６ｍｍとする二等辺正三角形の各頂点に位置するように３つの吐出口が配置され、そのうち１つの吐出口は、内径が５ｍｍ、長さが５ｍｍのノズル形状を有し、残りの２つの吐出口は、内径が３ｍｍ、長さが５ｍｍのノズル形状を有している。
【００６５】
そして、この実施例１の泡吐出用アダプタを泡吐出容器（ライオン社製、商品名：キレイキレイ泡ハンドソープ）のノズルヘッドに装着した後、ノズルヘッドを押圧操作して、泡を吐出させたところ、図１４に示すように、子熊の顔を模した泡の造形物が形成された。
【００６６】
（実施例２）
実施例２では、上記第２の実施形態で示した泡吐出用アダプタ５１と同様の構成を有する泡吐出用アダプタ実際に作製した。具体的には、ポリプロポレン製であり、花びらのキャラクタを模した泡の造形物を形成するため、泡造形部の下面には、一辺が１２ｍｍである正五角形の中心及び各頂点に位置するように６つの吐出口が配置され、これら６つの吐出口は、内径が３ｍｍ、長さが５ｍｍのノズル形状を有している。
【００６７】
そして、この実施例２の泡吐出用アダプタを泡吐出容器（ライオン社製、商品名：キレイキレイ泡ハンドソープ）のノズルヘッドに装着した後、ノズルヘッドを押圧操作して、泡を吐出させたところ、図１５に示すように、花びらを模した泡の造形物が形成された。
【図面の簡単な説明】
【００６８】
【図１】図１は、第１の実施形態として本発明を適用した泡吐出用アダプタが装着された泡吐出容器の外観を示す斜視図である。
【図２】図２は、図１に示す泡吐出用アダプタ及び泡吐出容器の分解斜視図である。図である。
【図３】図３は、図１に示す泡吐出用アダプタの構成を説明するための図であり、（ａ）はその上面図、（ｂ）はその下面図、（ｃ）はその側面図である。
【図４】図４は、図１に示す泡吐出用アダプタが装着された泡吐出容器のノズルヘッドを押圧操作する前の状態を示す斜視図である。
【図５】図５は、図１に示す泡吐出用アダプタが装着された泡吐出容器のノズルヘッドを押圧操作した状態を示す斜視図である。
【図６】図６は、図１に示す泡吐出用アダプタが装着された泡吐出容器のノズルヘッドに対する押圧を解除した状態を示す斜視図である。
【図７】図７は、第２の実施形態として本発明を適用した泡吐出用アダプタが装着された泡吐出容器の外観を示す斜視図である。
【図８】図８は、図７に示す泡吐出用アダプタ及び泡吐出容器の分解斜視図である。図である。
【図９】図９は、図７に示す泡吐出用アダプタの構成を説明するための図であり、（ａ）はその上面図、（ｂ）はその下面図、（ｃ）はその側面図である。
【図１０】図１０は、図７に示す泡吐出用アダプタが装着された泡吐出容器のノズルヘッドを押圧操作する前の状態を示す斜視図である。
【図１１】図１１は、図７に示す泡吐出用アダプタが装着された泡吐出容器のノズルヘッドを押圧操作した状態を示す斜視図である。
【図１２】図１２は、図７に示す泡吐出用アダプタが装着された泡吐出容器のノズルヘッドに対する押圧を解除した状態を示す斜視図である。
【図１３】図１３は、本発明を適用した泡吐出用アダプタの別の構成を示す斜視図である。
【図１４】図１４は、実施例１の泡吐出用アダプタが装着された泡吐出容器のノズルヘッドを押圧操作したときに吐出された泡を示す写真である。
【図１５】図１５は、実施例２の泡吐出用アダプタが装着された泡吐出容器のノズルヘッドを押圧操作したときに形成された泡を示す写真である。
【符号の説明】
【００６９】
１…泡吐出用アダプタ（第１の実施形態）  ２（２ａ〜２ｃ）…吐出口  ３…泡造形部  ４…装着部  ５…接続部  ６…流路  ７…パッキン  ８…側壁部  ９…上壁部
５１…泡吐出用アダプタ（第２の実施形態）  ５２（５２ａ〜５２ｆ）…吐出口  ５３…泡造形部  ５４…装着部  ５５…接続部  ５６…流路  ５７…パッキン  ５８…側壁部  ５９…上壁部
７０…泡吐出用アダプタ  ７１…接続部  ７２ａ〜７２ｂ…ノズル
１００…泡吐出容器  １０１…容器本体  １０２…泡ポンプディスペンサー  １０３…装着キャップ  １０４…ノズルヘッド  １０４ａ…ヘッド部  １０４ｂ…ノズル部
【図１】
2010149060.tif 000003
【図２】
2010149060.tif 000004
【図３】
2010149060.tif 000005
【図４】
2010149060.tif 000006
【図５】
2010149060.tif 000007
【図６】
2010149060.tif 000008
【図７】
2010149060.tif 000009
【図８】
2010149060.tif 000010
【図９】
2010149060.tif 000011
【図１０】
2010149060.tif 000012
【図１１】
2010149060.tif 000013
【図１２】
2010149060.tif 000014
【図１３】
2010149060.tif 000015
【図１４】
2010149060.tif 000016
【図１５】
2010149060.tif 000017
【手続補正書】
【提出日】平成21年11月2日(2009.11.2)
【手続補正１】
【補正対象書類名】明細書
【補正対象項目名】００１５
【補正方法】変更
【補正の内容】
【００１５】
泡吐出容器１００は、図１及び図２に示すように、例えば内容液としてハンドソープが収容された容器本体１０１と、この容器本体１０１に収容されたハンドソープを泡状に吐出させる泡ポンプディスペンサー（泡吐出機構）１０２とを備えている。また、この泡ポンプディスペンサー１０２は、例えば容器本体１０１の口頸部に螺合により装着された装着キャップ１０３を介して容器本体１０１に取り付けられている。本発明を適用した泡吐出装置は、このような泡ポンプディスペンサー１０２が装着された容器本体１０１によって、いわゆる縦型手動式の泡ポンプ付き容器（泡吐出容器）を構成している。
【手続補正２】
【補正対象書類名】明細書
【補正対象項目名】００１６
【補正方法】変更
【補正の内容】
【００１６】
具体的に、容器本体１０１は、例えばポリエチレン樹脂やポリプロピレン樹脂、ポリエステル樹脂などの合成樹脂材料をブロー成形によりボトル状に成形したものからなる。容器本体１０１の形状については、特に限定されないものの、この容器本体１０１の上端部には、略円筒状に縮径された口頸部が設けられ、この口頸部の外周面に装着キャップ１０３を螺合により装着するためのネジ部が形成されている。
【手続補正３】
【補正対象書類名】明細書
【補正対象項目名】００４０
【補正方法】変更
【補正の内容】
【００４０】
泡造形部５３は、花びらの形状を象った泡の造形物を形成するように、その位置及び径が設定された６つの吐出口５２ａ〜５２ｆを有している。すなわち、これら６つの吐出口５２ａ〜５２ｆは、泡造形部５３の下面５３ａにおいて五角形の中心及び各頂点に位置するように配置され、各吐出口５２ａ〜５２ｆは何れも同一径を有している。なお、泡造形部５３は、吐出される泡の形状が花びらのキャラクタを模したことを使用者に認識し易くするために、花びらの形状を象った外観形状を有している。
【手続補正４】
【補正対象書類名】明細書
【補正対象項目名】００４７
【補正方法】変更
【補正の内容】
【００４７】
これにより、泡造形部５３の６つの吐出口５２ａ〜５２ｆから鉛直下向きに泡が吐出される。このとき、各吐出口５２ａ〜５２ｆから吐出された泡は、使用者の手の上で膨出しながら互いに結合して１つの泡の塊を形成する。
【手続補正５】
【補正対象書類名】明細書
【補正対象項目名】００６９
【補正方法】変更
【補正の内容】
【００６９】
１…泡吐出用アダプタ（第１の実施形態）  ２（２ａ〜２ｃ）…吐出口  ３…泡造形部  ４…装着部  ５…接続部  ６…流路  ７…パッキン  ８…側壁部  ９…上壁部
５１…泡吐出用アダプタ（第２の実施形態）  ５２（５２ａ〜５２ｆ）…吐出口  ５３…泡造形部  ５４…装着部  ５５…接続部  ５６…流路  ５７…パッキン  ５８…側壁部  ５９…上壁部
７０…泡吐出用アダプタ  ７１…接続部  ７２ａ〜７２ｃ…ノズル
１００…泡吐出容器  １０１…容器本体  １０２…泡ポンプディスペンサー  １０３…装着キャップ  １０４…ノズルヘッド  １０４ａ…ヘッド部  １０４ｂ…ノズル部
【手続補正６】
【補正対象書類名】図面
【補正対象項目名】図９
【補正方法】変更
【補正の内容】
【図９】
2010149060.tif 000018